(57)【要約】【課題】  従来よりも包装体が不測に分離しにくく、粘着ラベルを従来とは異なる原理で切断することのできる包装体の連結構造及び包装体連結用粘着ラベルを提供すること。【解決手段】物品を収納した複数の包装体２と基材１１及び粘着材よりなる粘着ラベル１０とを備える。これら包装体２を隣り合う一部が重なるように並び方向Ｌに並べる。これらの包装体２に跨るように粘着ラベル１０を貼付する。粘着ラベル１０が、並び方向Ｌに直交する幅方向Ｗのほぼ中央部に並び方向Ｌにほぼ沿って切り込みを形成し又は切断促進加工（以下、これら双方を「切り込み等１２」という。）を施されている。【選択図】    図１
2012082004.tif 000002
【特許請求の範囲】
【請求項１】
物品を収納した複数の包装体と基材及び粘着材よりなる粘着ラベルとを備え、
これら包装体を隣り合う一部が重なるように並び方向に並べ、
これらの包装体に跨るように前記粘着ラベルを貼付した包装体の連結構造であって、
前記粘着ラベルが、前記並び方向に直交する幅方向のほぼ中央部に前記並び方向にほぼ沿って切り込みを形成し又は切断促進加工（以下、これら双方を「切り込み等」という。）を施してある包装体の連結構造。
【請求項２】
前記切り込み等が前記各包装体の間近傍に形成されている請求項１記載の包装体の連結構造。
【請求項３】
前記切断促進加工が超音波、薬品又は機械加工による前記基材の一部除去加工である請求項１又は２記載の包装体の連結構造。
【請求項４】
前記切り込み等がミシン目である請求項１〜３のいずれかに記載の包装体の連結構造。
【請求項５】
前記切り込み等に対し交差する方向に微少幅の交差切り込みを形成してある請求項１〜４のいずれかに記載の包装体の連結構造。
【請求項６】
前記交差切り込みを前記並び方向に複数並べてある請求項５に記載の包装体の連結構造。
【請求項７】
前記切り込み等の上又はその近傍に前記切り込み等の存在を示す絵柄を設けてある請求項１〜６のいずれかに記載の包装体の連結構造。
【請求項８】
基材及び粘着材を備え、物品を収納した複数の包装体を隣り合う一部が重なるように並び方向に並べ、これらの包装体に跨るように貼付してこれらの包装体を連結するための包装体連結用粘着ラベルであって、
前記並び方向に直交する幅方向のほぼ中央部に前記並び方向にほぼ沿って切り込みを形成し又は切断促進加工（以下、これら双方を「切り込み等」という。）を施してある包装体連結用粘着ラベル。
【請求項９】
前記切り込み等が前記各包装体の間近傍に形成されている請求項８記載の包装体連結用粘着ラベル。
【請求項１０】
前記切断促進加工が超音波、薬品又は機械加工による前記基材の一部除去加工である請求項８又は９記載の包装体連結用粘着ラベル。
【請求項１１】
前記切り込み等がミシン目である請求項８〜１０のいずれかに記載の包装体連結用粘着ラベル。
【請求項１２】
前記切り込み等に対し交差する方向に微少幅の交差切り込みを形成してある請求項８〜１１のいずれかに記載の包装体連結用粘着ラベル。
【請求項１３】
前記交差切り込みを前記並び方向に複数並べてある請求項１２に記載の包装体連結用粘着ラベル。
【請求項１４】
前記切り込み等の上又はその近傍に前記切り込み等の存在を示す絵柄を設けてある請求項８〜１３のいずれかに記載の包装体連結用粘着ラベル。
【発明の詳細な説明】
【技術分野】
【０００１】
本発明は、包装体の連結構造及び包装体連結用粘着ラベルに関する。さらに詳しくは、物品を収納した複数の包装体と基材及び粘着材よりなる粘着ラベルとを備え、これら包装体を隣り合う一部が重なるように並び方向に並べ、これらの包装体に跨るように前記粘着ラベルを貼付した包装体の連結構造、及び、材及び粘着材を備え、物品を収納した複数の包装体を隣り合う一部が重なるように並び方向に並べ、これらの包装体に跨るように貼付してこれらの包装体を連結するための包装体連結用粘着ラベルに関する。
【背景技術】
【０００２】
従来より、例えばスライスハム等を透明真空パックした包装体を複数連結するため、上述の如き包装体の連結構造及び包装体連結用粘着ラベルが用いられている。これらは、購入者が使用時に連結された包装体を必要に応じて容易に分離できるようにするため、次のような先行文献１〜４のラベルが用いられている。
【０００３】
先行文献１、２ではラベル本体の端縁に沿って短小切目線が形成されている。また、先行文献３では、非粘着領域の幅方向端部にＶカットを設けたり、先行文献３，４では、幅方向に沿ってミシン目を設けたりしている。
【０００４】
これらの従来技術によれば、ラベル本体の端縁に沿う切目線やＶカット、ラベル幅方向に沿うミシン目は前記並び方向に直交する幅方向に力が作用すると、これらの切目線、Ｖカット、ミシン目に応力が集中し、切断が開始される。したがって、これらの加工は、連結された複数の包装体の一部が不測に分離される原因となっている。特に、包装体の内容物として、薄切りハム等に比較して重量のあるハンバーグ、肉の照り焼きや薫製、厚切りのハム等を包装した場合には、その重量により包装体の一部が分離される虞が増大する。
【先行技術文献】
【特許文献】
【０００５】
【特許文献１】特許第３８０４０５５号公報
【特許文献２】登録実用新案第３１２４５３９号公報
【特許文献３】特開２００２−１９８２６号公報
【特許文献４】実開平１１−３４９０３９号公報
【発明の概要】
【発明が解決しようとする課題】
【０００６】
かかる従来の実情に鑑みて、本発明は、従来よりも包装体が不測に分離しにくく、粘着ラベルを従来とは異なる原理で切断することのできる包装体の連結構造及び包装体連結用粘着ラベルを提供することを目的とする。
【課題を解決するための手段】
【０００７】
上記目的を達成するため、本発明に係る包装体の連結構造の特徴は、物品を収納した複数の包装体と基材及び粘着材よりなる粘着ラベルとを備え、これら包装体を隣り合う一部が重なるように並び方向に並べ、これらの包装体に跨るように前記粘着ラベルを貼付した構造において、前記粘着ラベルが、前記並び方向に直交する幅方向のほぼ中央部に前記並び方向にほぼ沿って切り込みを形成し又は切断促進加工（以下、これら双方を「切り込み等」という。）を施したことにある。
【０００８】
また、上記目的を達成するため、本発明に係る包装体連結用粘着ラベルの特徴は、基材及び粘着材を備え、物品を収納した複数の包装体を隣り合う一部が重なるように並び方向に並べ、これらの包装体に跨るように貼付してこれらの包装体を連結するための構造において、前記並び方向に直交する幅方向のほぼ中央部に前記並び方向にほぼ沿って切り込みを形成し又は切断促進加工（以下、これら双方を「切り込み等」という。）を施したことにある。
【０００９】
これらの構成によれば、切り込み等は並び方向にほぼ沿って形成されているので、並び方向にラベルを引っ張ってもこれを契機にラベルが切断されることは困難である。しかも、この切り込み等は、並び方向に直交する幅方向のほぼ中央部に形成されているため、ラベルの端縁に応力が集中しても中央部までその力は及ばず、不測にラベルが切断されることもない。
【００１０】
一方、切り目等に手指を押し込めば、この中央部の一部、例えば、切り目の端部に応力集中が発生し、これを切っ掛けとしてラベル前記並び方向に分離させるよう容易に切断することができる。
【００１１】
「切り目等」は「完全な切断」である「切り込み」の他、手指の押しつけで容易に切り込みとなる「切断促進加工」としてもよい。「切断促進加工」を採用すれば、切り目が不測に異物が引っ掛かり、上述の手指を押し込んだ状態となって不測に包装体が離脱する虞をより低減することができる。
【００１２】
前記切り込み等は、前記各包装体の間近傍に形成するのが効果的である。各包装体の間近傍はラベルの粘着部分が包装体から浮き上がっているため、切り込み等に対する手指の押し込みと切断が行いやすいからである。
【００１３】
前記切断促進加工は、超音波、薬品又は機械加工による前記基材の一部除去加工とすることができる。この場合、粘着材とは反対の基材の表面側部分の一部を一律に除去してもよく、また、切り込み長の一部を間欠的に切り込むミシン目としてもよい。
【００１４】
前記切り込み等に対し交差する方向に微少幅の交差切り込みを形成してもよい。この交差切り込みにより、手指の押し込み等による応力集中はさらに促進され、ラベル切断の操作性が向上する。この交差切り込みは、切り込み長の端部に形成してもよいが、切り込み長の中間部に形成してもよい。前記交差切り込みを前記並び方向に複数並べることで、押す位置に拘わらずテープの切断が容易となる。
【００１５】
前記切り込み等の上又はその近傍に前記切り込み等の存在を示す絵柄を設けてもよい。同場所に絵柄を設けることで、利用者は手指の押し込み操作位置を容易に認識することができ、ラベル切断の操作性が向上する。
【発明の効果】
【００１６】
上記本発明に係る包装体の連結構造及び包装体連結用粘着ラベルの特徴によれば、前記並び方向に直交する幅方向のほぼ中央部に前記並び方向にほぼ沿って切り込み等を形成することで、従来よりも不測のラベル切断による一部包装体の分離を防ぐことが可能となった。しかも、切り込み等に手指を押し込むことで、従来とは全くことなる原理でラベルを切断して包装体を分離させることが可能となった。
【００１７】
本発明の他の目的、構成及び効果については、以下の発明の実施の形態の項から明らかになるであろう。
【図面の簡単な説明】
【００１８】
【図１】本発明に係る包装体の連結構造の平面図である。
【図２】図１の側面図である。
【図３】（ａ）は本発明に係る粘着ラベルの拡大平面図、（ｂ）は同図（ａ）のＡ−Ａ断面図である。
【図４】切り込み等に対する親指の押し込みと切断状況を示す平面図である。
【図５】切り込み等の態様を示す平面図である。
【図６】切り込み等の他の態様を示す平面図である。
【図７】切り込み等のさらに他の態様を示す平面図である。
【図８】（ａ）は本発明に係る粘着ラベルのさらに他の態様を示す拡大平面、（ｂ）は同図（ａ）のＢ−Ｂ断面図である。
【図９】本発明に係る粘着ラベルのさらに他の態様を示す平面図である。
【図１０】（ａ）は本発明に係る粘着ラベルのさらに他の態様を示す拡大平面図、（ｂ）は（ａ）における１８ｃを１つのみ設けた場合、（ｃ）は（ｂ）とは異なる角度の１８ｄを１つのみ設けた場合を示す。
【図１１】（ａ）は本発明に係る粘着ラベルのさらに他の態様を示す拡大平面図、（ｂ）は（ａ）の改変例である。
【図１２】粘着ラベルの切り込み等の周囲にその存在を示す絵柄を設けた例を示す拡大平面図である。
【発明を実施するための形態】
【００１９】
次に、適宜添付図面を参照しながら、本発明をさらに詳しく説明する。
図１〜３に示すように、本発明に係る包装体の連結構造１は、複数の包装体２と、粘着ラベル１０，２０とを備え、これら包装体２を隣り合う一部が重なるように並び方向Ｌに並べ、これらの包装体２に跨るように粘着ラベル１０，２０を貼付したものである。包装体２は、ポリエチレンやポリプロピレンのポリオレフィン等、プラスチック製のシート３，４に内容物５である食肉加工品の塊を収納したものである。表シート３は深絞り加工されて内容５を収納し、裏シート４を被せて真空状態で熱溶着することにより、包装体２を構成している。
【００２０】
粘着ラベル１０，２０は、プラスチック製や紙製の基材１１の裏面に粘着材を塗布したものであり、表面から絵柄・文字等が認識できるように印刷、蒸着を施してもよい。切り込み等により引き裂きの容易な素材を用いるのが望ましい。
【００２１】
包装体２は、４個を一部が重なる状態で並べてあり、包装体２の上下から表裏粘着ラベル１０，２０をそれぞれ貼り付けることにより、４個の包装体２を連結している。符号７は、各包装体２の間を示し、この包装体間７は、包装体２に接着せずに浮き上がっている。この包装体間７にほぼ位置するように、表粘着ラベル１０には切り込み等１２が形成されている。
【００２２】
この切り込み等１２は、前記並び方向Ｌに直交する幅方向Ｗのほぼ中央部に前記並び方向にほぼ沿って形成してある。本実施形態における切り込み等１２は、ミシン目１３として形成され、手指等で押し込むことにより切断されて切り込みとなる切断促進加工である。「切り目等」は切り込み長Ｍを全て切断とする「完全な切断」である「切り込み」としてもよい。切り込み等１２は、表粘着ラベル１０のみに形成すれば、このラベルの切断で裏粘着ラベル２０からは包装体２を容易に剥がせるが、裏粘着ラベル２０に切り込み等１２を設けても良い。裏粘着ラベル２０に切り込み等を設けない場合は、例え不測に表粘着ラベル１０が切断されても、裏粘着ラベル２０で包装体２はつながるため、包装体の一部離脱のリスクがさらに低減される。もちろん、裏粘着ラベル２０のみに切り込み等１２を設け、表粘着ラベル１０に切り込みを設けない構成としてもよい。
【００２３】
切り込み等１２は、切断刃により形成する他、超音波カッター等の非接触手段により形成することも可能である。
【００２４】
切断に際しては、図４に示すように、切り込み等１２の部分を手指Ｔで押す。包装体間７では、粘着ラベル１０は包装体２から浮き上がっており、手指Ｔは粘着ラベル１０の裏側まで突出することができる。この押しにより、ミシン目１３は切断されて切り込みとなり、切り込み等１２の切り目の端部１２ｅ１に応力集中が発生し、これを切っ掛けとして第１切断部１２ａのような亀裂が生じる。切り目の他の端部１２ｅ２にも第２切断部１２ｂのような亀裂が生じ、これらの結果、粘着ラベル１０は切り込み等１２の近傍で並び方向Ｌに対して分離するように切断され、一部の包装体２が分離され、需用者の使用に供せられる。
【００２５】
包装体間７でのラベル１０と包装体２との離隔距離が大きければ、手指Ｔの押し込みで粘着ラベル１０の切断される範囲が広くなる。一方、この離隔距離が小さければ、手指Ｔを切り込み等１２に積極的に突っ込んで、ラベル１０を切断することとなる。ミシン目１３等の切断促進加工による切断の容易さは、予想される離隔距離にもより、離隔距離が小さければ比較的切断容易としてもよい。切り込み等１２が完全な切断である切り込みとしても、離隔距離が小さければ、異物がこの切り込みに引っかかるリスクは低減される。
【００２６】
次に、本発明の他の実施形態について説明する。なお、上記と同様の部材には同一の符号を附してある。
【００２７】
ミシン目１３の両端部には、図５に示すように、並び方向Ｌに交差する方向に向けて微少な端交差切り込み１３ａ，１３ｂを形成してもよい。また、図６に示すように、同様の方向の中央交差切り込み１３ｃを設けても良い。これらの交差切り込み１３ａ〜１３ｃにより、上述の手指Ｔの押し込みによる応力集中でラベル１０の切断がさらに促進されることとなる。
【００２８】
切り欠き等１２は、微少な切り込み１６ｂ、１６ｃを交差させ、幅方向Ｗの距離ｗ１が短いＸ型の切り込み単体１６ａを並び方向Ｌに対して列状に並べたクロス切り込みライン１６としてもよい。
【００２９】
切断促進加工は、図８の符号１７に示すように、ラベル１０の基材１１の上側のみを超音波加工等で除去したものとしてもよい。
【００３０】
図９に示すように、切り込み等１２は、幅方向Ｗの両端からの距離Ｈが小さくなければ、符号１３，１３ｘ、１３ｙに示すように、幅方向にわたって複数設けても良い。
【００３１】
図１０（ａ）に示すように、切り込み等１２は、並び方向切り込み１８ｂと、これに交差する方向の交差切り込み１８ａとを備えた切り込み単位１８ｃを、並び方向Ｌに複数並べてもよい。また、同図（ｂ）（ｃ）に示すように、切り込み単位１８ｃ、１８ｄを一つだけ設けて、切り込み等１２を構成しても良い。但し、同図（ｂ）（ｃ）よりも同図（ａ）の態様の方が、手指の位置や、包装体間７との位置関係によらずラベルを切れる確率が高まる。
【００３２】
図１１（ａ）に示すように、切り込み等１２における交差切り込み１９ｂは、並び方向切り込み１９ａと離隔させて、十字切り込みラインを形成してもよい。また、同図（ｂ）に示すように、交差切り込み１９ｅは並び方向切り込み１９ａと異なる位置に設けて、切り込み単位１９ａを構成してもよい。
【００３３】
図１２に示すように、切り込み等１２、１８の周囲に、切り込み等の存在を示す絵柄３０を設けても良い。同図では、ライン表示３０ａの上下に文字３０ｂ、３０ｃを配置している。この表示に従い、需用者は親指の押し込み操作を通じて容易にラベルを切断することができる。
【００３４】
ラベル１０，２０及び包装体２の形態は、上記各実施形態に限られるものではなく、適宜改変が可能である。また、各実施形態の要素は、それぞれ組み合わせて実施することが可能である。
【産業上の利用可能性】
【００３５】
本発明は、包装体の連結構造及び包装体連結用粘着ラベルは、薄切りハム等のパック品はもちろん、薄切りハム等に比較して重量のあるハンバーグ、肉の照り焼きや薫製、厚切りのハム等の包装体の連結用として利用することができる。また、これら以外の食品の包装体や、食品以外の包装体を複数個連結する際にも用いることができる。
【符号の説明】
【００３６】
１：包装体の連結構造、２：包装体、３：表シート、４：裏シート、５：内容物、７：包装体間、１０：粘着ラベル、１１：基材、１２：切り込み等、１２ａ：第１切断線、１２ｂ：第２切断線、１３：ミシン目、１３ａ，１３ｂ：端交差切り込み、１３ｃ：中央交差切り込み、１３ｘ、ｙ：ミシン目、１６：Ｘ字切り込みライン、１６ａ：切り込み単体、１６ｂ、１６ｃ：交差切り込み、１７：切断促進加工、１８：十字切り込みライン、１８ａ：交差切り込み、１８ｂ：並び方向切り込み、１８ｃ：切り込み単体、１８ｄ：切り込み単体、１９：十字切り込みライン、１９ａ：並び方向切り込み、１９ｂ：公差切り込み、１９ｃ：切り込み単体、１９ｅ：公差切り込み、１９ｆ：切り込み単体、２０：裏粘着ラベル、３０：切断表示絵柄、Ｌ：並び方向、Ｗ：幅方向、Ｔ：親指（手指）、  Ｍ：切り込み長、Ｗ：幅方向
【図１】
2012082004.tif 000003
【図２】
2012082004.tif 000004
【図３】
2012082004.tif 000005
【図４】
2012082004.tif 000006
【図５】
2012082004.tif 000007
【図６】
2012082004.tif 000008
【図７】
2012082004.tif 000009
【図８】
2012082004.tif 000010
【図９】
2012082004.tif 000011
【図１０】
2012082004.tif 000012
【図１１】
2012082004.tif 000013
【図１２】
2012082004.tif 000014